(57)【特許請求の範囲】
【請求項１】
液状凍結防止剤を貯留する貯留部と、
この貯留部から液状凍結防止剤が供給される貯留補助部と、
この貯留補助部内に貯留する液状凍結防止剤を一定量に調整する貯留量調整手段と、
前記貯留補助部よりも低い位置に設置され、前記貯留補助部から液状凍結防止剤が供給されるとともに、開放した上面を露出させて埋設させた滲み出し部とからなる液状凍結防止剤供給装置において、
前記貯留補助部と前記滲み出し部との高低差を相対的に調整できる高さ調整手段を設けた、
ことを特徴とする液状凍結防止剤供給装置。
【請求項２】
液状凍結防止剤を貯留する貯留部と、
この貯留部から液状凍結防止剤が供給される貯留補助部と、
この貯留補助部内に貯留する液状凍結防止剤を一定量に調整する貯留量調整手段と、
前記貯留補助部よりも低い位置に設置され、前記貯留補助部から液状凍結防止剤が供給されるとともに、開放した上面を露出させて埋設させた滲み出し部とからなる液状凍結防止剤供給装置において、
前記滲み出し部に接続されている連結パイプの前記貯留補助部よりも低い位置に、前記貯留補助部と前記供給量設定器との高低差によって前記滲み出し部への液状凍結防止剤の供給量を設定する供給量設定器を配設し、
前記貯留補助部と前記供給量設定器との高低差を相対的に調整できる高さ調整手段を設けた、
ことを特徴とする液状凍結防止剤供給装置。
【発明の詳細な説明】
【０００１】
【発明の属する技術分野】
この発明は、積雪寒冷地の冬季において、例えば路面が滑り易い雪氷状態になるのを防止するための液状凍結防止剤供給装置に関するものである。
【０００２】
【従来の技術】
上記した従来の液状凍結防止剤供給装置として、多孔質舗装材で舗装した多孔質道路に小孔を多数開設したパイプを埋設し、このパイプに液状凍結防止剤をポンプで圧送して路面に液状凍結防止剤を滲み出させることにより、路面が滑り易い雪氷状態になるのを防止するものが、例えば特公平７−８８６５３号公報に開示されている。
【０００３】
また、複数の吹き出し口を有するノズルを露出させて埋設したり、または、複数の吹き出し口を有するノズルを道路に沿って設置し、このノズルにパイプを介して液状凍結防止剤を、ポンプで圧送して路面に散布することにより、路面が滑り易い雪氷状態になるのを防止するものが、例えば特開平８−８１９２９号公報に開示されている。
【０００４】
さらに、各センサの出力に基づいて演算制御装置がポンプを制御することにより、液状凍結防止剤をポンプで圧送して路面に供給することにより、路面が滑り易い雪氷状態になるのを防止するものが、例えば特開平９−１４３９４８号公報に開示されている。
【０００５】
また、内部に貯留室が設けられたマットに吹き出しノズルを配設するとともに、貯留タンクから貯留室側へのみ液状凍結防止剤を供給できる構成とし、マット上を車両が通過することによって吹き出しノズルから液状凍結防止剤を吹き出させることにより、路面が滑り易い雪氷状態になるのを防止するものが、例えば特開平１０−５４００６号公報に開示されている。
【０００６】
【発明が解決しようとする課題】
従来の上記した凍結防止剤供給装置の内、特公平７−８８６５３号公報に開示されているものは、多孔質舗装材とパイプとが一体になっているので、多孔質道路に細かい塵埃による目詰まりが発生して所期の機能を発揮できなくなった場合、多孔質道路を舗装し直さなければならないため、交換が容易に行えず、交換に高額な費用を要する。
そして、冬季のみの簡易な設置ができないなどの不都合があった。
【０００７】
また、特公平７−８８６５３号公報、特開平８−８１９２９号公報および特開平９−１４３９４８号公報に開示されているものは、ポンプで液状凍結防止剤を圧送して滲み出させたり、散布などするので、圧送用のポンプが必要となり、コストアップになる。
また、特開平１０−５４００６号公報に開示さているものは、マット上を車両が通過しなければ、液状凍結防止剤を吹き出させることができないという不都合がある。
【０００８】
この発明は、上記したような不都合を解消するためになされたもので、安価で、簡単、低工事費で設置でき、冬季のみの設置も可能な凍結防止剤供給装置を提供するものである。
【０００９】
【課題を解決するための手段】
この発明は、液状凍結防止剤を貯留する貯留部と、この貯留部から液状凍結防止剤が供給される貯留補助部と、この貯留補助部内に貯留する液状凍結防止剤を一定量に調整する貯留量調整手段と、貯留補助部よりも低い位置に設置され、貯留補助部から液状凍結防止剤が供給されるとともに、開放した上面を露出させて埋設させた滲み出し部とからなる液状凍結防止剤供給装置において、貯留補助部と滲み出し部との高低差を相対的に調整できる高さ調整手段を設けたものである。
【００１０】
また、他の発明は、液状凍結防止剤を貯留する貯留部と、この貯留部から液状凍結防止剤が供給される貯留補助部と、この貯留補助部内に貯留する液状凍結防止剤を一定量に調整する貯留量調整手段と、貯留補助部よりも低い位置に設置され、貯留補助部から液状凍結防止剤が供給されるとともに、開放した上面を露出させて埋設させた滲み出し部とからなる液状凍結防止剤供給装置において、滲み出し部に接続されている連結パイプの貯留補助部よりも低い位置に、貯留補助部と供給量設定器との高低差によって滲み出し部への液状凍結防止剤の供給量を設定する供給量設定器を配設し、貯留補助部と供給量設定器との高低差を相対的に調整できる高さ調整手段を設けたものである。
【００１１】
【発明の実施の形態】
以下、この発明の実施形態を図に基づいて説明する。
図１はこの発明を適用する第１参考例である液状凍結防止剤供給装置の構成を示すブロック図である。
図１において、１は液状凍結防止剤Ｌを貯留する貯留部としての貯留タンクを示し、所定の高さに設置されている。
２は液状凍結防止剤Ｌを貯留する貯留補助部としての貯留補助タンクを示し、貯留タンク１よりも低い位置に設置されている。
【００１２】
３は連結パイプを示し、貯留タンク１の下側と、貯留補助タンク２の上側とを連結し、貯留タンク１内の液状凍結防止剤Ｌを貯留補助タンク２内へ供給するものである。
４は連結パイプ３に配設された手動式の開閉バルブ、５は貯留補助タンク２に配設された貯留量調整手段としての液面調整器を示し、この液面調整器５は、貯留補助タンク２内の液状凍結防止剤Ｌの液面を一定の高さに保つように連結パイプ３の先端（下端）を開閉するものである。
【００１３】
６は分配器、７は連結パイプを示し、この連結パイプ７は、貯留補助タンク２の下側と、分配器６とを連結し、貯留補助タンク２内の液状凍結防止剤Ｌを分配器６内へ供給するものである。
８は連結パイプ７に配設された手動式の開閉バルブ、９は滲み出し部を示し、この滲み出し部９は、貯留補助タンク２よりも低い位置、例えば路面に開放した上面を露出させて設置されている。
１０は連結パイプを示し、分配器６と、滲み出し部９とを連結し、分配器６内の液状凍結防止剤Ｌを滲み出し部９へ供給するものである。
【００１４】
１１は連結パイプ１０に配設された供給量設定器を示し、例えば供給量を設定するオリフィスを有するものであり、貯留補助タンク２よりも低く、下流の滲み出し部９よりも高い位置に配置され、分配器６から滲み出し部９へ供給する液状凍結防止剤Ｌの供給量を、貯留補助タンク２との高低差による圧力で設定するものである。
上記した滲み出し部９、連結パイプ１０、供給量設定器１１で、分配器下流系統が構成される。
【００１５】
次に、動作について説明する。
まず、開閉バルブ４，８を開放すると、貯留タンク１内の液状凍結防止剤Ｌは連結パイプ３を介して貯留補助タンク２内へ供給される。
そして、貯留補助タンク２内の液状凍結防止剤Ｌは、連結パイプ７を介して分配器６内へ供給され、分配器６から連結パイプ１０、供給量設定器１１を介して各滲み出し部９へ、貯留補助タンク２と各供給量設定器１１との高低差に基づく圧力によって一定流量で供給される。
【００１６】
上記したように液状凍結防止剤Ｌが貯留補助タンク２に供給されても、貯留補助タンク２に液面調整器５が設けられているので、貯留補助タンク２内の液状凍結防止剤Ｌの液面は、貯留補助タンク２から溢れない一定の高さに保たれる。
また、各滲み出し部９に供給された液状凍結防止剤Ｌは、路面へ滲み出して路面上の雪氷をシャーベット状態またはサクサク状態にし、路面の状態をより滑りにくい状態へと改善する。
そして、各滲み出し部９の上、または各滲み出し部９から滲み出した液状凍結防止剤Ｌの路面の上を車両が通過すると、液状凍結防止剤Ｌは車両のタイヤに付着して運搬されるので、路面のより前方まで雪氷路面が改善される。
【００１７】
上述したように、この発明を適用する第１参考例によれば、道路の必要個所にのみ滲み出し部９などを配設する凹部を設け、各タンク１，２などを道路の近くに配置すればよいので、簡単な工事で安価に設置できるとともに、広範囲に容易に設置することができる。
そして、貯留タンク１を貯留補助タンク２よりも高い位置に設置し、貯留補助タンク２を滲み出し部９よりも高い位置に設置したので、貯留タンク１から貯留補助タンク２へ、貯留補助タンク２から滲み出し部９へ液状凍結防止剤Ｌを供給するポンプなどの動力源が不要となるため、凍結防止剤供給装置を安価に製作することができる。
【００１８】
また、分配器６に複数の分配器下流系統を接続したので、すなわち各分配器下流系統は直列でなく、並列に接続されているので、各分配器下流系統に貯留補助タンク２と各供給量設定器１１との高低差に基づく圧力で液状凍結防止剤Ｌを一様に供給することができる。
さらに、滲み出し部９に接続されている連結パイプ１０に供給量設定器１１を配設し、貯留補助タンク２と供給量設定器１１との高低差によって各滲み出し部９への液状凍結防止剤Ｌの供給量を設定したので、貯留補助タンク２と供給量設定器１１との高低差を所期の値に設定することにより、設置場所に応じて初期設定した供給量の液状凍結防止剤Ｌを各滲み出し部９へ供給することができる。
【００１９】
図２はこの発明を適用する第２参考例である液状凍結防止剤供給装置の要部の構成を示すブロック図であり、図１と同一または相当部分に同一符号を付して説明を省略する。
なお、図示の省略されている部分は、図１と同様に構成されている。
図２において、２１は電磁弁などの電動弁を示し、開閉バルブ８よりも下流の連結パイプ７に配設されている。
【００２０】
２２はタイマを示し、電動弁２１の開閉時刻（時間）を、例えば１日内の８時から１６時までは電動弁２１を開放させ、他の時間は電動弁２１を閉成させるように時間を設定したり、さらに、８時から１６時までの電動弁２１を開放させている時間帯で、電動弁２１の開放、閉成を所定時間毎に繰り返すように時間を設定するものである。
２３は制御部を示し、タイマ２２の出力に基づいて電動弁２１の開閉を制御するものである。
【００２１】
３１は太陽電池、３２は蓄電池、３３は太陽電池制御部を示し、この太陽電池制御部３３は、太陽電池３１の起電力が制御部２３の消費電力を上回ると、太陽電池３１のその上回った分の電力を蓄電池３２へ供給して蓄電池３２を充電し、太陽電池３１の起電力が制御部２３の消費電力を下回ると、その下回った分の電力を蓄電池３２から制御部２３へ供給するものである。
【００２２】
次に、第１参考例と異なる動作、すなわち制御部の制御について説明する。
まず、制御部２３は、タイマ２２から電動弁２１を開放させる時間になった電動弁開放信号が供給されると、電動弁２１を開放させる。
したがって、前述したように、各滲み出し部９へ液体凍結防止剤Ｌを供給することができる。
そして、タイマ２２から電動弁２１を閉成させる時間になった電動弁閉成信号が供給されると、電動弁２１を閉成させる。
したがって、各滲み出し部９への液体凍結防止剤Ｌの供給が停止される。
【００２３】
この発明を適用する第２参考例によれば、第１参考例と同様な効果が得られるとともに、タイマ２２に設定した時間で電動弁２１を開閉するので、必要時のみ液状凍結防止剤Ｌを各滲み出し部９へ供給でき、無駄なく効率的に液状凍結防止剤Ｌの供給を制御することができる。
また、太陽電池３１の電力、太陽電池３１で充電した蓄電池３２の電力を各制御部２３，３３の駆動電力としたので、商用電源を供給できない場所でも使用することができる。
【００２４】
上記した参考例では、貯留タンク１と貯留補助タンク２との高さを異ならせて貯留タンク１から貯留補助タンク２へ液状凍結防止剤Ｌを供給したが、貯留タンク１を地下に埋設し、貯留補助タンク２へ液状凍結防止剤Ｌをポンプで供給してもよい。
そして、電動弁２１を開閉バルブ８よりも下流の連結パイプ７に配設したが、電動弁２１を開閉バルブ８よりも上流の連結パイプ７に配設してもよい。
【００２５】
また、滲み出し部９は多孔質物質で構成したもの、または、単なる孔であってもよく、使用しない夏季などにおいては、多孔質物質に代わるもので埋めたり、孔を塞ぎ、冬季はこれらを取り外すことにより、冬季のみの設置も可能になる。
さらに、日照不足などによって電力不足などが発生することを想定し、電動弁２１を電源オフのときに開放状態となる常時開型とすることにより、電力不足の場合でも支障なく使用することができる。
また、太陽電池３１および／または蓄電池３２を駆動電源としたが、商用電源を駆動電源としてもよいことは言うまでもない。
【００２６】
上記した参考例では、設置が完了すれば、貯留補助タンク２と供給量設定器１１との高低差は一義的に決定されてしまうが、貯留補助タンク２および／または供給量設定器１１に相対的に高さを調整することのできる、例えばねじ式の高さ調整機構を設けることにより、滲み出し部９の設置場所に応じて液状凍結防止剤Ｌの供給量を調整することができる。
また、供給量設定器１１を配設しない場合は、貯留補助タンク２および／または滲み出し部９に相対的に高さを調整することのできる、例えばねじ式の高さ調整機構を設けることにより、滲み出し部９の設置場所に応じて液状凍結防止剤Ｌの供給量を調整することができる。
【００２７】
【発明の効果】
以上のように、この発明によれば、道路の必要個所にのみ滲み出し部などを配設する凹部を設け、貯留部および貯留補助部などを道路の近くに配置すればよいので、簡単な工事で安価に設置できるとともに、広範囲に容易に設置することができる。
また、貯留補助部よりも低い位置に滲み出し部を設置したので、貯留補助部から滲み出し部へ液状凍結防止剤を供給するポンプなどの動力源が不要となるため、凍結防止剤供給装置を安価に製作することができる。
さらに、使用しない夏季などにおいては、滲み出し部を他のもので埋めたり塞ぎ、冬季はこれらを取り外すことにより、冬季のみの設置も可能になる。
そして、貯留補助部と滲み出し部との高低差を相対的に調整できる高さ調整手段を設けたので、高さ調整手段を調整することにより、滲み出し部の設置場所に応じて液状凍結防止剤の供給量を調整することができる。
【００２８】
次に、他の発明によれば、滲み出し部に接続されている連結パイプの貯留補助部よりも低い位置に供給量設定器を配設し、貯留補助部と供給量設定器との高低差によって滲み出し部への液状凍結防止剤の供給量を設定したので、貯留補助部から滲み出し部へ液状凍結防止剤を供給するポンプなどの動力源が不要になるため、凍結防止剤供給装置を安価に製作することができるとともに、貯留補助部と供給量設定器との高低差を所期の値に設定することにより、設置場所に応じて初期設定した供給量の液状凍結防止剤を滲み出し部へ供給することができる。
【００２９】
そして、貯留補助部と供給量設定器との高低差を相対的に調整できる高さ調整手段を設けたので、高さ調整手段を調整することにより、滲み出し部の設置場所に応じて液状凍結防止剤の供給量を調整することができる。
【図面の簡単な説明】
【図１】  この発明を適用する第１参考例である液状凍結防止剤供給装置の構成を示すブロック図である。
【図２】  この発明を適用する第２参考例である液状凍結防止剤供給装置の要部の構成を示すブロック図である。
【符号の説明】
１      貯留タンク（貯留部）
２      貯留補助タンク（貯留補助部）
３      連結パイプ
４      開閉バルブ
５      液面調整器（貯留量調整手段）
６      分配器
７      連結パイプ
８      開閉バルブ
９      滲み出し部（分配器下流系統）
１０    連結パイプ（分配器下流系統）
１１    供給量設定器（分配器下流系統）
２１    電動弁
２２    タイマ
２３    制御部
３１    太陽電池
３２    蓄電池
３３    太陽電池制御部
Ｌ      液状凍結防止剤
【図１】
0003676117.tif 000002
【図２】
0003676117.tif 000003